(57)【特許請求の範囲】
【請求項１】
互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、
前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、
複数の前記第一平板パーツの配列方向に隣り合う前記第二平板パーツが、前記傾斜辺を軸として互いに回動自在に接続され、
前記第一平板パーツが、一対の前記平行辺の中間を通る第一折り線を軸として互いに回動可能に接続された一対の第一平板要素からなり、
前記第二平板パーツが、前記第一折り線の端部から延長して延びる第二折り線を軸として互いに回動可能に接続された一対の第二平板要素からなり、
前記第一平板パーツと前記第二平板パーツとの間に、
前記平行辺の両端を結ぶ第一線分、及び、前記平行辺よりも前記第一平板パーツ側または前記第二平板パーツ側において前記第一折り線上または前記第二折り線上に位置する点と前記平行辺の両端とを結ぶ一対の第二線分によって囲まれる三角形領域を少なくとも含む隙間が形成されている折り畳み構造物。
【請求項２】
前記隙間が、可撓性を有する被覆部によって埋められている請求項１に記載の折り畳み構造物。
【請求項３】
前記第二平板パーツは、前記第二折り線が延びる方向に配列されると共に相互に回動可能に接続される複数の分割平板パーツを備え、
一の分割平板パーツにおいて前記平行辺と前記傾斜辺とがなす角度が、前記一の分割平板パーツよりも前記第一平板パーツ側に位置する別の分割平板パーツにおいて前記平行辺と前記傾斜辺とがなす角度よりも小さい請求項１又は請求項２に記載の折り畳み構造物。
【請求項４】
互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、
前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、
複数の前記第一平板パーツの配列方向に隣り合う前記第二平板パーツが、前記傾斜辺を軸として互いに回動自在に接続され、
前記第一平板パーツが、一対の前記平行辺の中間を通る第一折り線を軸として互いに回動可能に接続された一対の第一平板要素からなり、
前記第二平板パーツが、前記第一折り線の端部から延長して延びる第二折り線を軸として互いに回動可能に接続された一対の第二平板要素からなり、
前記第二平板パーツは、前記第二折り線が延びる方向に配列されると共に相互に回動可能に接続される複数の分割平板パーツを備え、
一の分割平板パーツにおいて前記平行辺と前記傾斜辺とがなす角度が、前記一の分割平板パーツよりも前記第一平板パーツ側に位置する別の分割平板パーツにおいて前記平行辺と前記傾斜辺とがなす角度よりも小さい折り畳み構造物。
【請求項５】
前記第二平板パーツが、一対の前記傾斜辺の延在方向の先端同士を接続する頂部辺を有する平面視多角形に形成され、
前記頂部辺が、前記平行辺に平行している請求項１から請求項４のいずれか一項に記載の折り畳み構造物。
【請求項６】
互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、
前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、
複数の前記第一平板パーツの配列方向に隣り合う前記第二平板パーツが、前記傾斜辺を軸として互いに回動自在に接続され、
前記第一平板パーツが、一対の前記平行辺の中間を通る第一折り線を軸として互いに回動可能に接続された一対の第一平板要素からなり、
前記第二平板パーツが、前記第一折り線の端部から延長して延びる第二折り線を軸として互いに回動可能に接続された一対の第二平板要素からなり、
前記第二平板パーツが、一対の前記傾斜辺の延在方向の先端同士を接続する頂部辺を有する平面視多角形に形成され、
前記頂部辺が、前記平行辺に平行している折り畳み構造物。
【請求項７】
一対の前記第一平板要素及び一対の前記第二平板要素を、それぞれ前記第一折り線及び前記第二折り線に沿って互いに開き、前記第一平板パーツ及び前記第二平板パーツを折り目の無い平板とした状態で、内部に空間を有する構造物となり、
前記第一平板パーツ及び前記第二平板パーツの少なくとも一方のうち、前記空間側に向く面には、緩衝部が設けられている請求項１から請求項６のいずれか一項に記載の折り畳み構造物。
【請求項８】
互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、
前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、
複数の前記第一平板パーツの配列方向に隣り合う前記第二平板パーツが、前記傾斜辺を軸として互いに回動自在に接続され、
前記第一平板パーツが、一対の前記平行辺の中間を通る第一折り線を軸として互いに回動可能に接続された一対の第一平板要素からなり、
前記第二平板パーツが、前記第一折り線の端部から延長して延びる第二折り線を軸として互いに回動可能に接続された一対の第二平板要素からなり、
一対の前記第一平板要素及び一対の前記第二平板要素を、それぞれ前記第一折り線及び前記第二折り線に沿って互いに開き、前記第一平板パーツ及び前記第二平板パーツを折り目の無い平板とした状態で、内部に空間を有する構造物となり、
前記第一平板パーツ及び前記第二平板パーツの少なくとも一方のうち、前記空間側に向く面には、緩衝部が設けられている折り畳み構造物。
【発明の詳細な説明】
【技術分野】
【０００１】
この発明は、折り畳み構造物に関する。
【背景技術】
【０００２】
従来、内部に空間を有する構造物には、折り畳み可能に構成された折り畳み構造物がある。
特許文献１には、折り畳み構造物として、半球殻状の帽体を偏平に折り畳むことが可能なヘルメットが開示されている。このヘルメットでは、半球殻状の帽体が二つの半帽体によって構成されている。また、各半帽体が、一つの中央殻と、中央殻に隣接する複数の周辺殻とを回動可能に連結して構成されている。さらに、二つの半帽体において互いに対応する周辺殻同士が回動可能に連結されている。そして、各半帽体の中央殻と周辺殻とを平たく展開し、二つの半帽体の周辺殻同士を二つ折りとすることで、帽体が偏平に折り畳まれる。
【先行技術文献】
【特許文献】
【０００３】
【特許文献１】特開２０１３−１７０３２４号公報
【発明の概要】
【発明が解決しようとする課題】
【０００４】
ところで、展開した状態で内部に空間が形成される折り畳み構造物には、携行性や収納性が求められている。しかしながら、特許文献１のヘルメットでは、これが折り畳まれた状態において、平たく展開された二つの半帽体が重ねて配されるだけである。このため、ヘルメットを折り畳んだ状態において、中央殻や周辺殻の厚さ方向から見たヘルメットの大きさが依然として大きい、という問題がある。
【０００５】
本発明は、上述した事情に鑑みたものであって、折り畳み状態における大きさを小さくして、携行性や収納性を向上できる折り畳み構造物を提供することを目的とする。
【課題を解決するための手段】
【０００６】
上記課題を解決するため、本発明の折り畳み構造物は、互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、複数の前記第一平板パーツの配列方向に隣り合う前記第二平板パーツが、前記傾斜辺を軸として互いに回動自在に接続され、前記第一平板パーツが、一対の前記平行辺の中間を通る第一折り線を軸として互いに回動可能に接続された一対の第一平板要素からなり、前記第二平板パーツが、前記第一折り線の端部から延長して延びる第二折り線を軸として互いに回動可能に接続された一対の第二平板要素からなり、前記第一平板パーツと前記第二平板パーツとの間に、前記平行辺の両端を結ぶ第一線分、及び、前記平行辺よりも前記第一平板パーツ側または前記第二平板パーツ側において前記第一折り線上または前記第二折り線上に位置する点と前記平行辺の両端とを結ぶ一対の第二線分によって囲まれる三角形領域を少なくとも含む隙間が形成されている。
【０００８】
前記折り畳み構造物では、前記隙間が、可撓性を有する被覆部によって埋められていてもよい。
また、前記折り畳み構造物において、前記第二平板パーツは、前記第二折り線が延びる方向に配列されると共に相互に回動可能に接続される複数の分割平板パーツを備え、一の分割平板パーツにおいて前記平行辺と前記傾斜辺とがなす角度が、前記一の分割平板パーツよりも前記第一平板パーツ側に位置する別の分割平板パーツにおいて前記平行辺と前記傾斜辺とがなす角度よりも小さくてもよい。
【０００９】
本発明の折り畳み構造物は、互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、複数の前記第一平板パーツの配列方向に隣り合う前記第二平板パーツが、前記傾斜辺を軸として互いに回動自在に接続され、前記第一平板パーツが、一対の前記平行辺の中間を通る第一折り線を軸として互いに回動可能に接続された一対の第一平板要素からなり、前記第二平板パーツが、前記第一折り線の端部から延長して延びる第二折り線を軸として互いに回動可能に接続された一対の第二平板要素からなり、前記第二平板パーツは、前記第二折り線が延びる方向に配列されると共に相互に回動可能に接続される複数の分割平板パーツを備え、一の分割平板パーツにおいて前記平行辺と前記傾斜辺とがなす角度が、前記一の分割平板パーツよりも前記第一平板パーツ側に位置する別の分割平板パーツにおいて前記平行辺と前記傾斜辺とがなす角度よりも小さい。
前記折り畳み構造物では、前記第二平板パーツが、一対の前記傾斜辺の延在方向の先端同士を接続する頂部辺を有する平面視多角形に形成され、前記頂部辺が、前記平行辺に平行していてもよい。
【００１０】
本発明の折り畳み構造物は、互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、複数の前記第一平板パーツの配列方向に隣り合う前記第二平板パーツが、前記傾斜辺を軸として互いに回動自在に接続され、前記第一平板パーツが、一対の前記平行辺の中間を通る第一折り線を軸として互いに回動可能に接続された一対の第一平板要素からなり、前記第二平板パーツが、前記第一折り線の端部から延長して延びる第二折り線を軸として互いに回動可能に接続された一対の第二平板要素からなり、前記第二平板パーツが、一対の前記傾斜辺の延在方向の先端同士を接続する頂部辺を有する平面視多角形に形成され、前記頂部辺が、前記平行辺に平行している。
前記折り畳み構造物では、一対の前記第一平板要素及び一対の前記第二平板要素を、それぞれ前記第一折り線及び前記第二折り線に沿って互いに開き、前記第一平板パーツ及び前記第二平板パーツを折り目の無い平板とした状態で、内部に空間を有する構造物となり、前記第一平板パーツ及び前記第二平板パーツの少なくとも一方のうち、前記空間側に向く面には、緩衝部が設けられてもよい。
【００１１】
本発明の折り畳み構造物は、互いに平行する一対の平行辺、及び、一方の前記平行辺の両端から他方の前記平行辺の両端まで延びる一対の延在辺を有すると共に、前記平行辺と一対の前記延在辺とがなす角度が互いに等しい平面視四角形に形成され、前記延在辺を軸として相互に回動自在に接続された複数の第一平板パーツと、前記平行辺の両端を起点として、前記第一平板パーツから離れるにしたがって相互に近づくように延びる一対の傾斜辺を有する平面視多角形に形成され、前記平行辺を軸として各第一平板パーツに対して回動自在に接続された複数の第二平板パーツと、を備え、複数の前記第一平板パーツの配列方向に隣り合う前記第二平板パーツが、前記傾斜辺を軸として互いに回動自在に接続され、前記第一平板パーツが、一対の前記平行辺の中間を通る第一折り線を軸として互いに回動可能に接続された一対の第一平板要素からなり、前記第二平板パーツが、前記第一折り線の端部から延長して延びる第二折り線を軸として互いに回動可能に接続された一対の第二平板要素からなり、一対の前記第一平板要素及び一対の前記第二平板要素を、それぞれ前記第一折り線及び前記第二折り線に沿って互いに開き、前記第一平板パーツ及び前記第二平板パーツを折り目の無い平板とした状態で、内部に空間を有する構造物となり、前記第一平板パーツ及び前記第二平板パーツの少なくとも一方のうち、前記空間側に向く面には、緩衝部が設けられている。
【発明の効果】
【００１２】
本発明によれば、折り畳み状態における折り畳み構造物の大きさを従来よりも小さくすることが可能となり、折り畳み構造物の携行性や収納性の向上を図ることができる。
【図面の簡単な説明】
【００１３】
【図１】本発明の第一実施形態に係る折り畳み構造物の展開状態を示す斜視図である。
【図２】図１のII−II矢視断面図である。
【図３】図１の折り畳み構造物を平面上に展開した二次元展開図である。
【図４】本発明の第一実施形態に係る折り畳み構造物における折り畳み動作を説明するための模式図である。
【図５】本発明の第一実施形態に係る折り畳み構造物における折り畳み動作を説明するための模式図である。
【図６】本発明の第一実施形態に係る折り畳み構造物における折り畳み動作を説明するための模式図である。
【図７】本発明の第一実施形態に係る折り畳み構造物における折り畳み動作を説明するための模式図である。
【図８】本発明の第一実施形態に係る折り畳み構造物の折り畳み状態を示す斜視図である。
【図９】図８のIX−IX矢視断面図である。
【図１０】本発明の第二実施形態に係る折り畳み構造物の展開状態を示す斜視図である。
【図１１】図１０のXI−XI矢視断面図である。
【図１２】図１０の折り畳み構造物を平面上に展開した二次元展開図である。
【図１３】本発明の第二実施形態に係る折り畳み構造物の折り畳み状態を示す側面図である。
【図１４】図１３のXIV−XIV矢視断面図である。
【図１５】本発明の第一実施形態に係る折り畳み構造物の変形例の要部を展開状態で示す拡大断面図である。
【図１６】本発明の第一実施形態に係る折り畳み構造物の変形例を展開状態で示す斜視図である。
【図１７】本発明の第一実施形態に係る折り畳み構造物の他の変形例を展開状態で示す断面図である。
【図１８】図１７の第一平板パーツと緩衝部と圧力分散部との相対的な位置関係を示す平面図である。
【発明を実施するための形態】
【００１４】
［第一実施形態］
以下、図１〜９を参照して本発明の第一実施形態について説明する。
図１，２に示すように、本実施形態の折り畳み構造物１０Ａは、展開した状態において内部に空間を有するカップ形状となるものである。図１〜３に示すように、本実施形態の折り畳み構造物１０Ａは、複数の第一平板パーツ２０Ａと、複数の第二平板パーツ３０Ａと、を備える。各平板パーツ２０Ａ，３０Ａは、板状又はシート状に形成されている。
【００１５】
各第一平板パーツ２０Ａは、互いに平行する一対の平行辺２１Ａ，２１Ａ、及び、一方の平行辺２１Ａの両端から他方の平行辺２１Ａの両端まで延びる一対の延在辺２２Ａ，２２Ａを有し、かつ、平行辺２１Ａと一対の延在辺２２Ａ，２２Ａとがなす角度が互いに等しい平面視四角形に形成されている。
本実施形態の第一平板パーツ２０Ａは、平面視で長方形に形成されている。すなわち、本実施形態の第一平板パーツ２０Ａでは、一対の平行辺２１Ａ，２１Ａの長さが互いに等しく、平行辺２１Ａと延在辺２２Ａとがなす角度が９０度となっている。
【００１６】
第一平板パーツ２０Ａは、一対の平行辺２１Ａ，２１Ａの中間を通る第一折り線ＡＶＬ１を軸として互いに回動可能に接続された一対の第一平板要素２３Ａ，２３Ａからなる。このため、一対の第一平板要素２３Ａ，２３Ａの形状や大きさは互いに等しい。
【００１７】
複数の第一平板パーツ２０Ａの形状や大きさは互いに等しい。複数の第一平板パーツ２０Ａは、延在辺２２Ａを軸として相互に回転自在に接続されている。すなわち、複数の第一平板パーツ２０Ａは、平行辺２１Ａが延びる方向に配列されている。図示例において、第一平板パーツ２０Ａの数は四つとなっているが、少なくとも二つ以上であればよい。
【００１８】
各第二平板パーツ３０Ａは、各第一平板パーツ２０Ａの平行辺２１Ａを軸として各第一平板パーツ２０Ａに対して回動可能に接続されている。第二平板パーツ３０Ａは、例えば第一平板パーツ２０Ａのうち一方の平行辺２１Ａのみに接続されてもよいが、本実施形態では第一平板パーツ２０Ａの一対の平行辺２１Ａ，２１Ａにそれぞれ接続されている。
【００１９】
各第二平板パーツ３０Ａは、第一平板パーツ２０Ａの平行辺２１Ａの両端を起点として、第一平板パーツ２０Ａから離れるにしたがって相互に近づくように延びる一対の傾斜辺３２Ａ，３２Ａを有する平面視多角形に形成されている。すなわち、平行辺２１Ａに対する各傾斜辺３２Ａの角度Ａαは９０度よりも小さい。各第二平板パーツ３０Ａにおいて、第一平板パーツ２０Ａの平行辺２１Ａに対する一対の傾斜辺３２Ａ，３２Ａの角度Ａαは互いに等しい。また、一対の傾斜辺３２Ａ，３２Ａの長さも互いに等しい。
第二平板パーツ３０Ａは、例えば平面視二等辺三角形に形成されてもよいが、本実施形態では一対の傾斜辺３２Ａ，３２Ａの延在方向の先端同士を接続する頂部辺３３Ａを有する平面視等脚台形に形成されている。頂部辺３３Ａは、第一平板パーツ２０Ａの平行辺２１Ａに平行する。
【００２０】
上記した第二平板パーツ３０Ａは、それぞれ第一平板パーツ２０Ａにおける第一折り線ＡＶＬ１の端部から延長して延びる第二折り線ＡＶＬ２を軸として互いに回動自在に接続された一対の第二平板要素３４Ａ，３４Ａからなる。一対の第二平板要素３４Ａ，３４Ａの形状や大きさは互いに等しい。
【００２１】
複数の第一平板パーツ２０Ａの配列方向に並ぶ複数の第二平板パーツ３０Ａの形状や大きさは互いに等しい。複数の第一平板パーツ２０Ａの配列方向に隣り合う二つの第二平板パーツ３０Ａ，３０Ａは、傾斜辺３２Ａを軸として互いに回動可能に接続されている。
【００２２】
同一の第一平板パーツ２０Ａの両端に接続される二つの第二平板パーツ３０Ａ，３０Ａの形状や大きさは、例えば互いに等しくてもよいが、本実施形態では互いに異なっている。また、本実施形態では第一平板パーツ２０Ａが長方形であり、第一平板パーツ２０Ａの両端に配される二つの第二平板パーツ３０Ａ，３０Ａは、平行辺２１Ａに対する第二平板パーツ３０Ａの傾斜辺３２Ａの角度Ａαについて互いに等しく、傾斜辺３２Ａの長さについて互いに異なっている。
【００２３】
また、本実施形態の折り畳み構造物１０Ａでは、上記した第一平板パーツ２０Ａと第二平板パーツ３０Ａとの間に、隙間４０Ａが形成されている。
本実施形態において、隙間４０Ａは第二平板パーツ３０Ａのうち第一平板パーツ２０Ａとの接続部分を切り欠くことで形成されている。隙間４０Ａは、第一平板パーツ２０Ａの平行辺２１Ａの両端を結ぶ第一線分４１Ａ、及び、平行辺２１Ａよりも第二平板パーツ３０Ａ側において第二折り線ＡＶＬ２上に位置する点と平行辺２１Ａの両端とを結ぶ一対の第二線分４２Ａ，４２Ａによって囲まれる三角形領域を有する。
隙間４０Ａにおいて、第一線分４１Ａの中間点から一対の第二線分４２Ａ，４２Ａが互いに交わる点（第二折り線ＡＶＬ２上の点）までの距離は、後述する折り畳み構造物１０Ａの折り畳み動作や展開動作において、少なくとも第一平板パーツ２０Ａと第二平板パーツ３０Ａとが互いに干渉しないように設定されればよい。
【００２４】
また、本実施形態の折り畳み構造物１０Ａでは、上記した隙間４０Ａが可撓性を有する被覆部４５Ａによって埋められている。被覆部４５Ａは、例えば紙や柔軟性に富む布であってもよいが、柔軟性又は可撓性を有する部材であれば、これらに限定されない。被覆部４５Ａは、例えば液体や気体を通さないように形成されてもよい。また、被覆部４５Ａには、例えば通気孔等の小孔が形成されていてもよい。
【００２５】
本実施形態の折り畳み構造物１０Ａにおいて、隣り合う二つの第一平板パーツ２０Ａ，２０Ａの間の延在辺２２Ａ、及び、隣り合う二つの第二平板パーツ３０Ａ，３０Ａの間の傾斜辺３２Ａ、及び、第一平板パーツ２０Ａと第二平板パーツ３０Ａとの間の平行辺２１Ａは、山折り線である。また、第一折り線ＡＶＬ１や第二折り線ＡＶＬ２は、谷折り線である。これら山折り線及び谷折り線は、複数の第一平板パーツ２０Ａや第二平板パーツ３０Ａをこれらの一面側（図１，２において外側）から見て、一面側が山折りや谷折りとなる線である。
【００２６】
以上のように構成される本実施形態の折り畳み構造物１０Ａは、図１，２に示すように、一対の第一平板要素２３Ａ，２３Ａや一対の第二平板要素３４Ａ，３４Ａを、谷折り線である第一折り線ＡＶＬ１や第二折り線ＡＶＬ２に沿って互いに開き、第一平板パーツ２０Ａや第二平板パーツ３０Ａを折り目の無い平板とした状態（展開状態）で、内部に空間ＡＶ１（内部空間ＡＶ１）を有する構造物となる。以下、展開状態の折り畳み構造物１０Ａについて具体的に説明する。
【００２７】
展開状態とされた折り畳み構造物１０Ａでは、第一平板パーツ２０Ａの一面側（内部空間ＡＶ１の外側）から見て、隣り合う二つの第一平板パーツ２０Ａ，２０Ａが互いに山折りに折り曲げられている。複数の第一平板パーツ２０Ａは、平行辺２１Ａに平行する断面で正多角形の一部をなすように配列されている（特に図２参照）。隣り合う二つの第一平板パーツ２０Ａ，２０Ａの他面同士の角度Ａβ（内角）は、この正多角形の一辺に対応する中心角の補角（中心角と１８０°との差分）になる。第一平板パーツ２０Ａと第二平板パーツ３０Ａとのなす角度、すなわち、第一折り線ＡＶＬ１と第二折り線ＡＶＬ２とのなす内角は、第一平板パーツ２０Ａの平行辺２１Ａに対する第二平板パーツ３０Ａの傾斜辺３２Ａの角度Ａα（図３参照）の大小に準じる。
【００２８】
図２に示すように、本実施形態の折り畳み構造物１０Ａでは、四つの第一平板パーツ２０Ａが断面正八角形のうち四つの辺をなすように配列されている。四つの第一平板パーツ２０Ａは、平面視で互いに合同な長方形に形成されているため、中空の正八角柱のうち四つの側面を構成している。図１，２における符号Ｌ１は、正八角柱の軸線Ｌ１であり、以下では、折り畳み構造物１０Ａの軸線Ｌ１として説明する。
【００２９】
展開状態とされた折り畳み構造物１０Ａでは、第二平板パーツ３０Ａの一面側（内部空間ＡＶ１の外側）から見て、複数の第一平板パーツ２０Ａの配列方向に隣り合う二つの第二平板パーツ３０Ａ，３０Ａが互いに山折りに折り曲げられている。また、第二平板パーツ３０Ａの一面側から見て、第二平板パーツ３０Ａは第一平板パーツ２０Ａに対して山折りに折り曲げられている。
【００３０】
複数の第一平板パーツ２０Ａの配列方向に並ぶ複数の第二平板パーツ３０Ａは、複数の第一平板パーツ２０Ａの場合と同様に、平行辺２１Ａに平行する断面で正多角形の一部をなす。本実施形態において、四つの第一平板パーツ２０Ａの配列方向に並ぶ四つの第二平板パーツ３０Ａは、平面視で互いに合同な等脚台形に形成されている。このため、四つの第二平板パーツ３０Ａは、四つの第一平板パーツ２０Ａの平行辺２１Ａを含む正八角形を底面とする中空の正八角錐の頂部を、平行辺２１Ａに平行する面（軸線Ｌ１に直交する面）で切り落とした切頂正八角錐のうち四つの側面を構成している。
【００３１】
展開状態における折り畳み構造物１０Ａは、複数の第一平板パーツ２０Ａ及び第二平板パーツ３０Ａによって囲まれた内部空間ＡＶ１を有するカップ状に形成されている。すなわち、複数の第一平板パーツ２０Ａや第二平板パーツ３０Ａの他面は、カップ状に形成された折り畳み構造物１０Ａの内面をなしている。
カップ状の折り畳み構造物１０Ａは、軸線Ｌ１に直交する方向（図２において下方向）に開口する開口端を有する。開口端は、周方向の両端に配される第一平板パーツ２０Ａ及び第二平板パーツ３０Ａのうち、他の第一平板パーツ２０Ａや他の第二平板パーツ３０Ａに接続されない延在辺２２Ａ及び傾斜辺３２Ａによって構成されている。
また、展開状態における折り畳み構造物１０Ａでは、複数の第一平板パーツ２０Ａの配列方向に並ぶ複数の第二平板パーツ３０Ａの頂部辺３３Ａによって、軸線Ｌ１方向に開口する開口部ＡＯ１が形成されている。本実施形態において、開口部ＡＯ１は前述した開口端の一部を切り欠くように形成されている。
【００３２】
本実施形態の折り畳み構造物１０Ａは、例えば、第一平板パーツ２０Ａの両端に接続された二つの第二平板パーツ３０Ａ，３０Ａの頂部を軸線Ｌ１に沿って互いに離れる方向に移動させることで、上記した展開状態から折り畳むことができる。以下、この点について図４〜７を参照して説明する。
【００３３】
図４は、展開状態における折り畳み構造物１０Ａにおいて、各第二平板パーツ３０Ａの傾斜辺３２Ａを軸線Ｌ１と交差する位置まで仮想的に延長させる仮想延長線ＩＬを加えた図である。複数の第一平板パーツ２０Ａの配列方向に並ぶ複数の第二平板パーツ３０Ａの傾斜辺３２Ａから延びる複数の仮想延長線ＩＬは、軸線Ｌ１上の同一位置で交差する。複数の仮想延長線ＩＬが軸線Ｌ１上で交差する点は、仮想的に二等辺三角形とされた複数の第二平板パーツ３０Ａの頂点ＴＰ１，ＴＰ２である。頂点ＴＰ１，ＴＰ２は、軸線Ｌ１方向において第一平板パーツ２０Ａの両側に二つ現れる。
【００３４】
図５は、図４に示す展開状態の折り畳み構造物１０Ａから、一つの第一平板パーツ２０Ａ、及び、その両側に配される二つの第二平板パーツ３０Ａ，３０Ａを取り出した図である。
折り畳み構造物１０Ａを展開状態から折り畳む場合には、図５〜７に示すように、二つの頂点ＴＰ１，ＴＰ２を軸線Ｌ１上において互いに離れる方向に移動させればよい。これにより、各第二平板パーツ３０Ａが軸線Ｌ１に近づくと共に、各第二平板パーツ３０Ａの一対の第二平板要素３４Ａ，３４Ａが第二折り線ＡＶＬ２に沿って互いに折り畳まれる。また、第一平板パーツ２０Ａが軸線Ｌ１に近づくと共に、第一平板パーツ２０Ａの一対の第一平板要素２３Ａ，２３Ａが第一折り線ＡＶＬ１に沿って互いに折り畳まれる。
さらに、第一平板要素２３Ａと第二平板要素３４Ａとが、互いに折り曲げられた状態から開き、一つの平板となる。
【００３５】
折り畳み構造物１０Ａを折り畳み状態から展開状態とする場合には、折り畳み動作と逆の動作を行えばよい。すなわち、図６や図７に示す状態において、二つの頂点ＴＰ１，ＴＰ２を軸線Ｌ１上において互いに近づける方向に移動させればよい。
【００３６】
図８，９に示すように、折り畳まれた折り畳み構造物１０Ａにおいて、複数の第一平板パーツ２０Ａや第二平板パーツ３０Ａは、平行辺２１Ａに平行する断面で星形の一部の辺をなすように配列されている（特に図９参照）。
図８，９に例示する折り畳み状態では、第一折り線ＡＶＬ１や第二折り線ＡＶＬ２が軸線Ｌ１上に位置していない。このため、隣り合う二つの第一平板パーツ２０Ａ，２０Ａの第一平板要素２３Ａ，２３Ａの他面同士の角度Ａβは、展開状態における二つの第一平板パーツ２０Ａ，２０Ａの他面同士の角度Ａβよりも小さいものの、零にはなっていない。すなわち、隣り合う二つの第一平板パーツ２０Ａ，２０Ａの第一平板要素２３Ａ，２３Ａの他面が、隙間を介して配されている。隣り合う二つの第一平板パーツ２０Ａ，２０Ａの第一平板要素２３Ａ，２３Ａの他面同士を接触させるためには、図７に例示するように、第一折り線ＡＶＬ１を軸線Ｌ１上に位置させればよい。折り畳み状態における第二平板要素３４Ａは第一平板要素２３Ａと共に一つの平板をなす。このため、隣り合う二つの第二平板パーツ３０Ａ，３０Ａの第二平板要素３４Ａ，３４Ａの他面同士の接触等は、上記した第一平板パーツ２０Ａの場合と同様である。
【００３７】
折り畳み構造物１０Ａを折り畳む際には、例えば第一平板パーツ２０Ａの一対の第一平板要素２３Ａ，２３Ａの一面同士を互いに接触させ、第二平板パーツ３０Ａの一対の第二平板要素３４Ａ，３４Ａの一面同士を互いに接触させてもよい。すなわち、折り畳み構造物１０Ａは、例えば図８，９に示す状態から軸線Ｌ１を中心とする周方向に折り畳まれてもよい。
また、周方向への折り畳みは、例えば展開状態における折り畳み構造物１０Ａに対して実施されてもよい。展開状態の折り畳み構造物１０Ａを周方向に折り畳む際には、第一平板パーツ２０Ａの両端に接続された二つの第二平板パーツ３０Ａ，３０Ａの頂部が、軸線Ｌ１に沿って互いに離れる方向に移動する。
【００３８】
以上のことから、折り畳み状態における折り畳み構造物１０Ａでは、その内部空間ＡＶ１を展開状態と比較して小さくすることができる、または、内部空間ＡＶ１を無くすことができる。また、折り畳み状態における折り畳み構造物１０Ａでは、軸線Ｌ１方向に沿う長さが展開状態と比較して少し長くなるものの、軸線Ｌ１に直交するいずれの方向から見ても、折り畳み構造物１０Ａの平面視した面積を展開状態と比較して小さくすることができる。
【００３９】
本実施形態の折り畳み構造物１０Ａは、例えば紙などのように折り曲げ自在な可撓性部材によって構成されてもよいし、例えば折り曲げ不能な剛性部材によって構成されてもよい。折り畳み構造物１０Ａが可撓性部材からなる場合、折り畳み構造物１０Ａは、例えば一つの可撓性部材に折り曲げ加工を施して構成されてもよい。折り畳み構造物１０Ａが剛性部材からなる場合、折り畳み構造物１０Ａは、各平板要素２３Ａ，３４Ａをそれぞれ剛性部材によって形成し、平板要素２３Ａ，３４Ａ同士を蝶番等の連結構造によって相互に回動可能に連結して構成されてもよい。
【００４０】
以上説明したように、本実施形態の折り畳み構造物１０Ａによれば、折り畳み状態における折り畳み構造物１０Ａの大きさを、従来よりも小さくすることが可能となり、折り畳み構造物１０Ａの携行性や収納性を向上することができる。
また、本実施形態の折り畳み構造物１０Ａによれば、隣り合う一対の第一平板要素２３Ａ，２３Ａや一対の第二平板要素３４Ａ，３４Ａを第一折り線ＡＶＬ１や第二折り線ＡＶＬ２に沿って互いに開いたり折り畳んだりするだけで、折り畳み構造物１０Ａを展開状態と折り畳み状態とに簡単に切り換えることができる。
特に、本実施形態の折り畳み構造物１０Ａは、展開状態でカップ状に形成されるため、携行性や収納性が高く、かつ、取り扱いが簡単なヘルメット等として有効に活用することができる。
【００４１】
また、本実施形態の折り畳み構造物１０Ａによれば、第一平板パーツ２０Ａと第二平板パーツ３０Ａとの間に隙間４０Ａが形成されているため、平板パーツ２０Ａ，３０Ａの各平板要素２３Ａ，３４Ａが変形不能な剛性部材であっても、折り畳み構造物１０Ａを展開状態と折り畳み状態とに切り換えることが可能となる。以下、この点について具体的に説明する。
【００４２】
第一平板パーツ２０Ａと第二平板パーツ３０Ａとの間に隙間４０Ａが形成されていない場合には、折り畳み構造物１０Ａを展開状態から折り畳み状態まで折り畳む動作（折り畳み動作）、または、折り畳み状態から展開状態まで展開する動作（展開動作）において、第一平板要素２３Ａと第二平板要素３４Ａとが互いに干渉し、第一平板要素２３Ａと第二平板要素３４Ａとを互いに押しつける力が生じる。数学的に説明すれば、第一平板要素２３Ａと第二平板要素３４Ａとがこれらの接続部分において互いに交差する自己交差が発生する。このため、第一平板要素２３Ａや第二平板要素３４Ａが撓み変形しない限り、折り畳み動作や展開動作を行うことができない。
【００４３】
これに対し、第一平板パーツ２０Ａと第二平板パーツ３０Ａとの間に隙間４０Ａが形成されている場合には、図６に例示するように、折り畳み動作や展開動作の途中段階において、隙間４０Ａが小さくなるように第一平板要素２３Ａと第二平板要素３４Ａとが互いに近づくものの、互いに押し付け合うことは無い。すなわち、折り畳み動作や展開動作において第一平板要素２３Ａと第二平板要素３４Ａとの干渉を防ぐことができる。したがって、第一平板要素２３Ａや第二平板要素３４Ａを撓み変形させることなく、折り畳み動作や展開動作を行うことができる。隙間４０Ａは、少なくとも前記自己交差の発生を完全に又は大幅に抑制するために必要な程度設けることが好ましく、前記自己交差の発生を完全に抑制させるために必要な程度設けることが特に好ましい。
【００４４】
また、本実施形態の折り畳み構造物１０Ａによれば、第一平板パーツ２０Ａと第二平板パーツ３０Ａとの隙間４０Ａが、被覆部４５Ａによって埋められている。これにより、展開状態における折り畳み構造物１０Ａを容器として有効に活用することができる。
被覆部４５Ａは可撓性を有しているため、前述した折り畳み動作や展開動作を阻害することは無い。また、被覆部４５Ａは、第一平板パーツ２０Ａと第二平板パーツ３０Ａとを互いに回動可能に連結する連結構造としても機能できる。
【００４５】
また、本実施形態の折り畳み構造物１０Ａによれば、第二平板パーツ３０Ａが、一対の傾斜辺３２Ａ，３２Ａの延在方向に先端同士を接続する頂部辺３３Ａを有する平面視等脚台形（平面視等脚台形）に形成される。このため、展開状態の折り畳み構造物１０Ａにおいて、軸線Ｌ１方向に開口する開口部ＡＯ１を形成することができる。この開口部ＡＯ１は、例えば折り畳み構造物１０Ａを液体が入る容器として使用する場合に、注ぎ口として活用することができる。
【００４６】
また、本実施形態の折り畳み構造物１０Ａによれば、複数の第一平板パーツ２０Ａが互いに合同であり、複数の第一平板パーツ２０Ａの配列方向に並ぶ複数の第二平板パーツ３０Ａも互いに合同である。また、一対の第一平板要素２３Ａ，２３Ａも互いに合同であり、一対の第二平板要素３４Ａ，３４Ａも互いに合同である。これにより、折り畳み構造物１０Ａを少ない種類の平板要素２３Ａ，３４Ａによって製造することが可能となり、折り畳み構造物１０Ａのコストダウンを図ることができる。
【００４７】
［第二実施形態］
次に、本発明の第二実施形態について、図１０〜１４を参照して、第一実施形態との相違点を中心に説明する。
【００４８】
図１０，１１に示すように、本実施形態の折り畳み構造物１０Ｂは、展開した状態において内部に空間を有する中空の楕円体（球体を含む）に類似する形状となるものである。図１０〜１２に示すように、本実施形態の折り畳み構造物１０Ｂは、可撓性部材からなり、第一実施形態と同様に、複数の第一平板パーツ２０Ｂと、複数の第二平板パーツ３０Ｂと、を備える。
【００４９】
各第一平板パーツ２０Ｂは、第一実施形態と同様に、互いに平行する一対の平行辺２１Ｂ，２１Ｂ、及び、一対の平行辺２１Ｂ，２１Ｂの端部同士をつなぐ一対の延在辺２２Ｂ，２２Ｂを有し、かつ、平行辺２１Ｂと一対の延在辺２２Ｂ，２２Ｂとがなす角度が互いに等しい平面視四角形に形成されている。
本実施形態の第一平板パーツ２０Ｂは、平面視で等脚台形に形成されている。すなわち、本実施形態の第一平板パーツ２０Ｂでは、一対の平行辺２１Ｂ，２１Ｂの長さが互いに異なり、平行辺２１Ｂと一対の延在辺２２Ｂ，２２Ｂとがなす角度は９０度にならない。
【００５０】
複数の第一平板パーツ２０Ｂの形状や大きさは互いに等しい。複数の第一平板パーツ２０Ｂは、延在辺２２Ｂを軸として相互に回転自在に接続されている。すなわち、複数の第一平板パーツ２０Ｂは、平行辺２１Ｂが延びる方向に配列されている。図示例において、第一平板パーツ２０Ｂの数は八つとなっているが、少なくとも三つ以上であればよい。
【００５１】
第一平板パーツ２０Ｂは、第一実施形態と同様に、一対の平行辺２１Ｂ，２１Ｂの中間を通る第一折り線ＢＶＬ１を軸として互いに回動可能に接続された一対の第一平板要素２３Ｂ，２３Ｂからなる。このため、一対の第一平板要素２３Ｂ，２３Ｂの形状や大きさは互いに等しい。
【００５２】
各第二平板パーツ３０Ｂは、各第一平板パーツ２０Ｂの平行辺２１Ｂを軸として各第一平板パーツ２０Ｂに対して回動可能に接続されている。第二平板パーツ３０Ｂは、第一平板パーツ２０Ｂの一対の平行辺２１Ｂ，２１Ｂにそれぞれ接続されている。
【００５３】
各第二平板パーツ３０Ｂは、第一平板パーツ２０Ｂの平行辺２１Ｂの両端を起点として、第一平板パーツ２０Ｂから離れるにしたがって相互に近づくように延びる一対の傾斜辺３２Ｂ，３２Ｂを有する平面視多角形に形成されている。各第二平板パーツ３０Ｂにおいて、第一平板パーツ２０Ｂの平行辺２１Ｂに対する一対の傾斜辺３２Ｂ，３２Ｂの角度Ｂαは互いに等しい。また、一対の傾斜辺３２Ｂ，３２Ｂの長さも互いに等しい。第一平板パーツ２０Ｂの一対の平行辺２１Ｂ，２１Ｂのうち短辺２１Ｂ１（短い平行辺２１Ｂ）に接続された第二平板パーツ３０Ｂにおいて、第一平板パーツ２０Ｂの短辺２１Ｂ１と傾斜辺３２Ｂとがなす角度Ｂα１は、第一平板パーツ２０Ｂの一対の平行辺２１Ｂ，２１Ｂのうち長辺２１Ｂ２（長い平行辺２１Ｂ）と延在辺２２Ｂとがなす角度Ｂγよりも小さい（特に図１２参照）。
各第二平板パーツ３０Ｂは、例えば第一実施形態と同様の頂部辺３３Ａ（図１，３参照）を有してもよいが、本実施形態では、一対の傾斜辺３２Ｂ，３２Ｂの延在方向の先端同士が互いに接続されている。
【００５４】
上記した第二平板パーツ３０Ｂは、それぞれ第一平板パーツ２０Ｂにおける第一折り線ＢＶＬ１の端部から延長して延びる第二折り線ＢＶＬ２を軸として互いに回動自在に接続された一対の第二平板要素３４Ｂ，３４Ｂからなる。一対の第二平板要素３４Ｂ，３４Ｂの形状や大きさは互いに等しい。
【００５５】
さらに、本実施形態において、各第二平板パーツ３０Ｂは、第二折り線ＢＶＬ２の長手方向に配列されると共に相互に回動可能に接続された複数の分割平板パーツ３５Ｂ，３６Ｂを備える。各分割平板パーツ３５Ｂ，３６Ｂは、前述した一対の第二平板要素３４Ｂ，３４Ｂによって構成されている。互いに隣り合う二つの分割平板パーツ３５Ｂ，３６Ｂを相互に接続する接続線は、第一平板パーツ２０Ｂの平行辺２１Ｂと平行している。一の分割平板パーツ３６Ｂにおいて第一平板パーツ２０Ｂの平行辺２１Ｂと傾斜辺３２Ｂとがなす角度は、一の分割平板パーツ３６Ｂよりも第一平板パーツ２０Ｂ側に位置する別の分割平板パーツ３５Ｂにおいて平行辺２１Ｂと傾斜辺３２Ｂとがなす角度よりも小さい。
以下、複数の分割平板パーツ３５Ｂ，３６Ｂについて、さらに具体的に説明する。
【００５６】
本実施形態において、各第二平板パーツ３０Ｂは二つの分割平板パーツ３５Ｂ，３６Ｂを備える。
二つの分割平板パーツ３５Ｂ，３６Ｂのうち第一平板パーツ２０Ｂの平行辺２１Ｂに接続された第一分割平板パーツ３５Ｂは、平面視等脚台形に形成されている。第一分割平板パーツ３５Ｂの互いに平行する一対の平行辺３７Ｂ，３７Ｂのうち長い方の辺３７Ｂ１（長底辺３７Ｂ１）は、第一平板パーツ２０Ｂの平行辺２１Ｂに接続されている。第一分割平板パーツ３５Ｂの各斜辺３２Ｂ１は、第二平板パーツ３０Ｂの各傾斜辺３２Ｂの一部をなす。
【００５７】
一方、第二分割平板パーツ３６Ｂは、平面視二等辺三角形に形成されている。第二分割平板パーツ３６Ｂの底辺３８Ｂは、第一分割平板パーツ３５Ｂの一対の平行辺３７Ｂ，３７Ｂのうち短い方の辺３７Ｂ２（短底辺３７Ｂ２）に接続されている。すなわち、第一分割平板パーツ３５Ｂの短底辺３７Ｂ２、第二分割平板パーツ３６Ｂの底辺３８Ｂは、二つの分割平板パーツ３５Ｂ，３６Ｂを相互に接続する接続線である。第二分割平板パーツ３６Ｂの各斜辺３２Ｂ２は、第二平板パーツ３０Ｂの各傾斜辺３２Ｂの一部をなす。第二分割平板パーツ３６Ｂの底辺３８Ｂと斜辺３２Ｂ２とがなす角度は、第一分割平板パーツ３５Ｂの長底辺３７Ｂ１と斜辺３２Ｂ１とがなす角度Ｂαよりも小さい。
【００５８】
複数の第一平板パーツ２０Ｂの配列方向に並ぶ複数の第二平板パーツ３０Ｂの形状や大きさは互いに等しい。複数の第一平板パーツ２０Ｂの配列方向に隣り合う二つの第二平板パーツ３０Ｂ，３０Ｂは、傾斜辺３２Ｂを軸として互いに回動可能に接続されている。同一の第一平板パーツ２０Ｂの両端に接続される二つの第二平板パーツ３０Ｂ，３０Ｂの形状や大きさは、例えば互いに等しくてもよいが、本実施形態では互いに異なっている。
【００５９】
本実施形態の折り畳み構造物１０Ｂは可撓性部材によって構成されている。このため、第一平板パーツ２０Ｂと第二平板パーツ３０Ｂとの間、また、第二折り線ＢＶＬ２の長手方向に隣り合う二つの分割平板パーツ３５Ｂ，３６Ｂの間には、第一実施形態において示したような隙間４０Ａ（図１〜３参照）が形成されていない。
【００６０】
本実施形態の折り畳み構造物１０Ｂにおいて、隣り合う二つの第一平板パーツ２０Ｂ，２０Ｂの間の延在辺２２Ｂ、隣り合う二つの第二平板パーツ３０Ｂ，３０Ｂの間の傾斜辺３２Ｂ、また、第二折り線ＢＶＬ２の長手方向に隣り合う二つの分割平板パーツ３５Ｂ，３６Ｂの間の辺（短底辺３７Ｂ２、底辺３８Ｂ）は、山折り線である。また、第一折り線ＢＶＬ１や第二折り線ＢＶＬ２は、谷折り線である。これら山折り線及び谷折り線は、複数の第一平板パーツ２０Ｂや第二平板パーツ３０Ｂをこれらの一面側（図１０，１１において外側）から見て、一面側が山折りや谷折りとなる線である。
また、図１３に例示する折り畳み構造物１０Ｂの二次元展開図では、複数の第一平板パーツ２０Ｂの配列方向に並ぶ二つの第二平板パーツ３０Ｂ，３０Ｂの間にこれらを接続する領域ＭＢが形成されている。この領域ＭＢは、隣り合う二つの第二平板パーツ３０Ｂ，３０Ｂ同士を接続する際ののり代として機能する。すなわち、隣り合う二つの第二平板パーツ３０Ｂ，３０Ｂ同士を接続するためには、第二折り線ＢＶＬ２に平行し、かつ、領域ＭＢを二等分にする折り線ＢＭＬ３において領域ＭＢを折り畳み、接着剤等によって折り畳んだ状態に固定すればよい。
【００６１】
以上のように構成される本実施形態の折り畳み構造物１０Ｂは、図１０，１１に示すように、一対の第一平板要素２３Ｂ，２３Ｂや一対の第二平板要素３４Ｂ，３４Ｂを、谷折り線である第一折り線ＢＶＬ１や第二折り線ＢＶＬ２に沿って互いに開き、第一平板パーツ２０Ｂや分割平板パーツ３５Ｂ，３６Ｂを折り目の無い平板とした状態（展開状態）で、内部に空間ＢＶ１（内部空間ＢＶ１）を有する構造物となる。以下、展開状態の折り畳み構造物１０Ｂについて具体的に説明する。
【００６２】
展開状態とされた折り畳み構造物１０Ｂでは、第一平板パーツ２０Ｂの一面側（内部空間ＢＶ１の外側）から見て、隣り合う二つの第一平板パーツ２０Ｂ，２０Ｂが互いに山折りに折り曲げられている。複数の第一平板パーツ２０Ｂは、平行辺２１Ｂに平行する断面で正多角形をなすように配列されている（特に図１１参照）。隣り合う二つの第一平板パーツ２０Ｂ，２０Ｂの他面同士の角度Ｂβ（内角）は、この正多角形の一辺に対応する中心角の補角（中心角と１８０°との差分）になる。第一平板パーツ２０Ｂと第二平板パーツ３０Ｂとのなす角度、すなわち、第一折り線ＢＶＬ１と第二折り線ＢＶＬ２とのなす内角は、第一平板パーツ２０Ｂの平行辺２１Ｂに対する第二平板パーツ３０Ｂの傾斜辺３２Ｂの角度Ｂα（図１２参照）の大小に準じる。
【００６３】
図１１に示すように、本実施形態の折り畳み構造物１０Ｂでは、八つの第一平板パーツ２０Ｂが断面正八角形の各辺をなすように配列されている。八つの第一平板パーツ２０Ｂは、平面視で互いに合同な等脚台形に形成されている。このため、八つの第一平板パーツ２０Ｂは、これらの長辺２１Ｂ２を含む正八角形を底面とする中空の正八角錐の頂部を、八つの第一平板パーツ２０Ｂの短辺２１Ｂ１を含む面で切り落とした切頂正八角錐の各側面を構成している。図１０，１１における符号Ｌ２は、切頂正八角錐の軸線Ｌ２であり、以下の説明では、折り畳み構造物１０Ｂの軸線Ｌ２として説明する。
【００６４】
展開状態とされた折り畳み構造物１０Ｂでは、第二平板パーツ３０Ｂの一面側（内部空間ＢＶ１の外側）から見て、複数の第一平板パーツ２０Ｂの配列方向に隣り合う二つの第二平板パーツ３０Ｂ，３０Ｂが互いに山折りに折り曲げられている。また、第二平板パーツ３０Ｂの一面側から見て、第二平板パーツ３０Ｂは第一平板パーツ２０Ｂに対して山折りに折り曲げられている。また、第二平板パーツ３０Ｂの一面側から見て、各第二平板パーツ３０Ｂを構成する二つの分割平板パーツ３５Ｂ，３６Ｂは、互いに山折りに折り曲げられている。
【００６５】
複数の第一平板パーツ２０Ｂの配列方向に並ぶ複数の第一分割平板パーツ３５Ｂは、複数の第一平板パーツ２０Ｂの場合と同様に、平行辺３７Ｂに平行する（軸線Ｌ２に直交する）断面で正多角形の一部をなす。本実施形態において、八つの第一平板パーツ２０Ｂの配列方向に並ぶ八つの第一分割平板パーツ３５Ｂは、複数の第一平板パーツ２０Ｂの場合と同様に、平面視で互いに合同な等脚台形に形成されているため、切頂正八角錐の各側面を構成している。
一方、八つの第一平板パーツ２０Ｂの配列方向に並ぶ八つの第二分割平板パーツ３６Ｂは、平面視で互いに合同な二等辺三角形に形成されているため、正八角錐の各側面を構成している。
【００６６】
展開状態における折り畳み構造物１０Ｂは、複数の第一平板パーツ２０Ｂ及び第二平板パーツ３０Ｂによって囲まれた内部空間ＢＶ１を有する中空の楕円体（球体を含む）に類似する形状（以下、中空殻状と呼ぶ。）に形成されている。すなわち、複数の第一平板パーツ２０Ｂや第二平板パーツ３０Ｂの他面は、中空殻状に形成された折り畳み構造物１０Ｂの内面をなしている。
【００６７】
展開状態の折り畳み構造物１０Ｂでは、内部空間ＢＶ１が、例えば外部に連通しなくてもよいが、本実施形態ではスリットＳＬを介して外部に連通できるようになっている。スリットＳＬは、一つの延在辺２２Ｂ及びこれに対応する傾斜辺３２Ｂにおいて、隣り合う第一平板パーツ２０Ｂ同士、及び、隣り合う第二平板パーツ３０Ｂ同士が接続されないことで、形成されている。スリットＳＬをなす第一平板パーツ２０Ｂの延在辺２２Ｂや第二平板パーツ３０Ｂの傾斜辺３２Ｂには、例えばスリットＳＬが大きくならないように、または、スリットＳＬが閉じられるように、任意の留め具が設けられてもよい。
【００６８】
本実施形態の折り畳み構造物１０Ｂは、可撓性部材によって構成されている。このため、本実施形態の折り畳み構造物１０Ｂは、第一実施形態の場合と同様に、例えば、第一平板パーツ２０Ｂの両端に接続された二つの第二平板パーツ３０Ｂ，３０Ｂの頂部を軸線Ｌ２に沿って互いに離れる方向に移動させることで、上記した展開状態から折り畳むことができる。また、本実施形態の折り畳み構造物１０Ｂは、例えば、上記した展開状態からスリットＳＬを開くようにして周方向に折り畳むこともできる。
【００６９】
第一実施形態において説明したように、本実施形態の折り畳み構造物１０Ｂを折り畳んだり、展開したりする際には、第一平板パーツ２０Ｂと第二平板パーツ３０Ｂとの接続部分、同一の第二平板パーツ３０Ｂにおいて隣り合う分割平板パーツ３５Ｂ，３６Ｂ同士の接続部分において自己交差が発生する。ただし、本実施形態の折り畳み構造物１０Ｂでは、第一平板パーツ２０Ｂの第一平板要素２３Ｂや第二平板パーツ３０Ｂの第二平板要素３４Ｂが撓み変形するため、折り畳み動作や展開動作が阻害されることはない。
【００７０】
図１３，１４に示すように、第一実施形態と同様に折り畳まれた本実施形態の折り畳み構造物１０Ｂでは、複数の第一平板パーツ２０Ｂや第二平板パーツ３０Ｂが、平行辺２１Ｂに平行する断面で星形の各辺をなすように配列されている（特に図１４参照）。
図１４に例示する折り畳み状態では、第一折り線ＢＶＬ１や第二折り線ＢＶＬ２が軸線Ｌ２上に位置していない。このため、隣り合う二つの第一平板パーツ２０Ｂ，２０Ｂの第一平板要素２３Ｂ，２３Ｂの他面同士の角度Ｂβは、展開状態における二つの第一平板パーツ２０Ｂ，２０Ｂの他面同士の角度βＢよりも小さいものの、零にはなっていない。すなわち、隣り合う二つの第一平板パーツ２０Ｂ，２０Ｂの第一平板要素２３Ｂ，２３Ｂの他面が、隙間を介して配されている。隣り合う二つの第一平板パーツ２０Ｂ，２０Ｂの第一平板要素２３Ｂ，２３Ｂの他面同士を接触させるためには、第一折り線ＢＶＬ１や第二折り線ＢＶＬ２を軸線Ｌ２上に位置させればよい。折り畳み状態における第二平板要素３４Ｂは第一平板要素２３Ｂと共に一つの平板をなす。このため、隣り合う二つの第二平板パーツ３０Ｂ，３０Ｂの第二平板要素３４Ｂ，３４Ｂの他面同士の接触等は、上記した第一平板パーツ２０Ｂの場合と同様である。
【００７１】
折り畳み構造物１０Ｂを折り畳む際には、例えば第一平板パーツ２０Ｂの一対の第一平板要素２３Ｂ，２３Ｂの一面同士を互いに接触させ、第二平板パーツ３０Ｂの一対の第二平板要素３４Ｂ，３４Ｂの一面同士を互いに接触させてもよい。すなわち、折り畳み構造物１０Ｂは、例えば図１３，１４に示す状態からスリットＳＬを開くようにして軸線Ｌ２を中心とする周方向に折り畳まれてもよい。
【００７２】
以上のことから、折り畳み状態における折り畳み構造物１０Ｂでは、第一実施形態と同様に、内部空間ＢＶ１を展開状態と比較して小さくすることができる、または、内部空間ＢＶ１を無くすことができる。また、折り畳み状態における折り畳み構造物１０Ｂでは、軸線Ｌ２方向に沿う長さが展開状態と比較して少し長くなるものの、軸線Ｌ２に直交するいずれの方向から見ても、折り畳み構造物１０Ｂの平面視した面積を展開状態と比較して小さくすることができる。
【００７３】
本実施形態の折り畳み構造物１０Ｂによれば、第一実施形態と同様の効果を奏する。
また、本実施形態の折り畳み構造物１０Ｂによれば、各第二平板パーツ３０Ｂが複数の分割平板パーツ３５Ｂ，３６Ｂによって構成されている。また、第一平板パーツ２０Ｂから離れて位置する分割平板パーツ３５Ｂ，３６Ｂほど、第一平板パーツ２０Ｂの平行辺２１Ｂに対する傾斜辺３２Ｂの角度が小さくなる。このため、展開状態とされた折り畳み構造物１０Ｂのうち、複数の分割平板パーツ３５Ｂ，３６Ｂによって構成される部分の形状を球面形状に近づけることができる。すなわち、展開状態における折り畳み構造物１０Ｂの形状を、中空の球体や楕円体等の形状に近づけることができる。
【００７４】
特に、本実施形態の折り畳み構造物１０Ｂは、展開状態で中空の球体や楕円体等の中空殻状とすることができるため、収穫前の果実を包む果実袋等の包装袋として有効に活用することができる。
具体的には、本実施形態の折り畳み構造物１０Ｂによって収穫前の果実を包む場合、折り畳み構造物１０Ｂを折り畳み状態から展開しながら果実を包むだけで、展開状態の折り畳み構造物１０Ｂを果実に保持することができる、すなわち、展開状態の折り畳み構造物１０Ｂが果実から落ちてしまうことを防止できる。言い換えれば、収穫前の果実を包む作業を大幅に軽減することができる。
【００７５】
また、本実施形態の折り畳み構造物１０Ｂは、折り畳み状態と展開状態とに簡単に切り換えることができるため、再利用可能な果実袋等として提供することもできる。
また、本実施形態の折り畳み構造物１０Ｂは、一枚の紙等の可撓性部材によって製造することが可能であり、また、折り線が単純化されているため、果実袋等として安価に大量生産することができる。
【００７６】
また、本実施形態の折り畳み構造物１０Ｂにおいて、第一平板パーツ２０Ｂの一端側に配される第二平板パーツ３０Ｂ（特に第二分割平板パーツ３６Ｂ）が、第一実施形態と同様の頂部辺３３Ａ（図１，３参照）を有している場合、展開状態の折り畳み構造物１０Ｂにおいては、第一実施形態の場合と同様に、軸線Ｌ２方向に開口する開口部を形成することができる。したがって、本実施形態の折り畳み構造物１０Ｂを果実袋として活用する場合に、果実の蔕を折り畳み構造物１０Ｂの開口部にさらに簡単に通すことができる。
【００７７】
第一実施形態に記載されていない第二実施形態の折り畳み構造物１０Ｂの各種構成は、第一実施形態の折り畳み構造物１０Ａに適用することが可能である。また、第二実施形態に記載されていない第一実施形態の折り畳み構造物１０Ａの各種構成は、第二実施形態の折り畳み構造物１０Ｂに適用することが可能である。
【００７８】
以上、二つの実施形態により本発明について詳細に説明したが、本発明は上記実施形態に限定されるものではなく、本発明の趣旨を逸脱しない範囲において種々の変更を加えることが可能である。
【００７９】
第一実施形態の折り畳み構造物１０Ａは、例えば展開状態に保持できるように構成されてもよい。
第一実施形態の折り畳み構造物１０Ａを展開状態に保持するためには、例えば、同一の第一平板パーツ２０Ａの両端に接続された二つの第二平板パーツ３０Ａ，３０Ａの頂部（頂部辺３３Ａ）間の距離を、紐、ベルト等のように可撓性を有する細長い形状の保持具によって固定することが考えられる。
保持具は、二つの第二平板パーツ３０Ａ，３０Ａの頂部（頂部辺３３Ａ）の間で、軸線Ｌ１方向に延びるように配されるとよい。言い換えれば、保持具の両端は、軸線Ｌ１を中心とする周方向位置が互いに一致する二つの第二平板パーツ３０Ａ，３０Ａの頂部（頂部辺３３Ａ）の点に接続されるとよい。
【００８０】
二つの第二平板パーツ３０Ａ，３０Ａの頂部間の距離が保持具によって固定された状態では、二つの第二平板パーツ３０Ａ，３０Ａの頂部が軸線Ｌ１に沿って離れる方向に移動しない。すなわち、折り畳み構造物１０Ａを展開状態に保持することができる。
【００８１】
上記した保持具は、例えば、展開状態の折り畳み構造物１０Ａを周方向において二等分する位置を基準として、互いに対称となる二つの周方向位置に取り付けられてもよい。この場合には、より安定した状態で折り畳み構造物１０Ａを展開状態に保持することができる。
【００８２】
また、折り畳み構造物１０Ａを展開状態に保持するためには、例えば、互いに隣り合う二つの第一平板パーツ２０Ａ，２０Ａ同士がなす角度Ａβや、複数の第一平板パーツ２０Ａ，２０Ａの配列方向に隣り合う二つの第二平板パーツ３０Ａ，３０Ａ同士がなす角度（角度Ａβ）を固定することも考えらえる。以下、上記した角度を固定するための構成例について説明する。ここでは、二つの第一平板パーツ２０Ａ，２０Ａ同士の角度を固定するための構成を一例として挙げるが、二つの第二平板パーツ３０Ａ，３０Ａ同士の角度についても同様である。
【００８３】
例えば図１５に示すように、複数の第一平板パーツ２０Ａを厚い板状とする。その上で、互いに隣り合う二つの第一平板パーツ２０Ａ，２０Ａの側面２７Ａ（延在辺２２Ａに対応する面）と内面（他面）２６Ａとの角部を軸２９Ａとして、これら二つの第一平板パーツ２０Ａ，２０Ａを相互に回動自在に接続する。
また、二つの第一平板パーツ２０Ａ，２０Ａの境界部分に位置する二つの第一平板パーツ２０Ａ，２０Ａの各側面２７Ａを傾斜させる。具体的には、二つの第一平板パーツ２０Ａ，２０Ａの側面２７Ａと外面（一面）２５Ａとのなす角度Ａβ１，Ａβ２の合計が、展開状態の折り畳み構造物１０Ａにおいて二つの第一平板パーツ２０Ａ，２０Ａが互いになす角度Ａβとなるように、各第一平板パーツ２０Ａの側面２７Ａを外面２５Ａや内面２６Ａに対して傾斜させる。上記した二つの第一平板パーツ２０Ａ，２０Ａの角度Ａβ１，Ａβ２は、例えば互いに等しくてもよい。
【００８４】
また、二つの第一平板パーツ２０Ａ，２０Ａの外面２５Ａ側において、複数の第一平板パーツ２０Ａの配列方向の両端の間でベルトや紐等の紐状部材４７Ａを張る等して、隣り合う二つの第一平板パーツ２０Ａ，２０Ａが互いに開く方向に力を付与する。
これにより、展開状態の折り畳み構造物１０Ａでは、隣り合う二つの第一平板パーツ２０Ａ，２０Ａの傾斜した側面２７Ａ，２７Ａ同士が当接した状態に保持される。すなわち、隣り合う二つの第一平板パーツ２０Ａ，２０Ａ同士がなす角度Ａβを固定することができる。これにより、折り畳み構造物１０Ａを展開状態に保持することができる。
【００８５】
折り畳み構造物を展開状態に保持するための上記構造は、第二実施形態の折り畳み構造物１０Ｂにも適用可能である。
【００８６】
第一実施形態の折り畳み構造物１０Ａは、例えば隙間４０Ａを埋める被覆部４５Ａを備えなくてもよい。この場合には、展開状態における折り畳み構造物１０Ａの内部空間ＡＶ１が隙間４０Ａを介して外部に連通する。この場合、折り畳み構造物１０Ａは、通気性を有するヘルメットや容器、袋等として有効に活用することができる。
【００８７】
また、第一実施形態の折り畳み構造物１０Ａにおいて、第一平板パーツ２０Ａと第二平板パーツ３０Ａとの間の隙間４０Ａは、第一平板パーツ２０Ａ及び第二平板パーツ３０Ａの少なくとも一方を切り欠くことで形成されればよい。すなわち、隙間４０Ａは、例えば第一平板パーツ２０Ａのうち第二平板パーツ３０Ａとの接続部分を切り欠くことで形成されてもよい。この場合、隙間４０Ａは、第一線分４１Ａと、平行辺２１Ａよりも第一平板パーツ２０Ａ側において第一折り線ＡＶＬ１上に位置する点と平行辺２１Ａの両端とを結ぶ一対の第二線分とによって囲まれる三角形領域を有してもよい。
【００８８】
また、第一実施形態において、第一平板パーツ２０Ａと第二平板パーツ３０Ａとの間の隙間４０Ａは、少なくとも前述した三角形領域を含めばよい。すなわち、隙間４０Ａは、例えば三角形領域に外接する半円形領域や半楕円形領域を有してもよい。
【００８９】
また、第一実施形態の折り畳み構造物１０Ａが可撓性部材からなる場合、第一平板パーツ２０Ａと第二平板パーツ３０Ａとの間には、例えば隙間４０Ａが形成されなくてもよい。
【００９０】
また、第一実施形態の折り畳み構造物１０Ａにおいて、展開状態において周方向の一端や他端に位置する第一平板パーツ２０Ａの延在辺２２Ａには、第一平板要素２３Ａが追加で接続されてもよい。同様にして、周方向の一端や他端に位置する第二平板パーツ３０Ａの傾斜辺３２Ａには、例えば第二平板要素３４Ａが追加で接続されてもよい。言い換えれば、展開状態における折り畳み構造物１０Ａの開口端は、例えば第一平板要素２３Ａの第一折り線ＡＶＬ１や第二平板要素３４Ａの第二折り線ＡＶＬ２によって構成されてもよい。また、第一実施形態の折り畳み構造物１０Ａにおいて、平行辺２１Ａに対する第二平板パーツ３０Ａの傾斜辺３２Ａのなす角度Ａαは、第一平板パーツ２０Ａの両端に配される二つの第二平板パーツ３０Ａで互いに異なっていてもよい。
【００９１】
また、第一実施形態の折り畳み構造物１０Ａについて、図３に例示する二次元展開図では、例えば第二実施形態の領域ＭＢ（図１２参照）と同様に、複数の第一平板パーツ２０Ａの配列方向に並ぶ二つの第二平板パーツ３０Ａ，３０Ａの間にこれらを接続する領域ＭＡにパーツが形成されてもよい。言い換えれば、折り畳み構造物１０Ａは、隣り合う二つの第二平板パーツ３０Ａ，３０Ａの間に配され、これら二つの第二平板パーツ３０Ａ，３０Ａの各傾斜辺３２Ａを軸として各第二平板パーツ３０Ａに対して回動自在に接続される接続用パーツ２４Ａ（図１６参照）を備えてもよい。この場合、接続用パーツ２４Ａは、二次元展開図において第二折り線ＡＶＬ２に平行し、かつ、接続用パーツ２４Ａを二等分にする折り線ＡＭＬ３を軸として、折り畳み自在に構成されればよい。
接続用パーツ２４Ａを備える折り畳み構造物１０Ａを製造する際には、図１６に示すように、二次元展開図の状態から接続用パーツ２４Ａを折り線ＡＭＬ３において折り畳んだ状態で接着等により固定すればよい。図１６において、接続用パーツ２４Ａは、内部空間ＡＶ１の外側に位置しているが、例えば、内部空間ＡＶ１の内側に位置してもよい。
【００９２】
接続用パーツ２４Ａを備える折り畳み構造物１０Ａによれば、接着等により接続用パーツ２４Ａを折り畳んだ状態に固定するだけで、隣り合う二つの第二平板パーツ３０Ａ，３０Ａを傾斜辺３２Ａにおいて互いに回動可能に接続することができる。したがって、折り畳み構造物１０Ａを簡単に製造することが可能となる。
また、接続用パーツ２４Ａを備える折り畳み構造物１０Ａによれば、展開状態において隣り合う二つの第二平板パーツ３０Ａ，３０Ａの部位を接続用パーツ２４Ａによって補強できるため、折り畳み構造物１０Ａの構造強化を図ることができる。したがって、折り畳み構造物１０Ａを、強度が要求されるヘルメットや容器として有効に活用することが可能となる。
【００９３】
また、第二実施形態の折り畳み構造物１０Ｂにおいて、単一の第二平板パーツ３０Ｂを構成する分割平板パーツの数は、例えば三つ以上であってもよい。この場合、第一平板パーツ２０Ｂから最も離れて位置する分割平板パーツを除く他の分割平板パーツは、平面視等脚台形に形成されていればよい。第一平板パーツ２０Ｂから最も離れて位置する分割平板パーツは、平面視二等辺三角形、平面視等脚台形のいずれに形成されてもよい。また、各分割平板パーツにおいて底辺（又は長底辺）と斜辺とがなす角度は、第一平板パーツ２０Ｂから離れて位置する分割平板パーツほど小さく設定されていればよい。
【００９４】
第二実施形態の折り畳み構造物１０Ｂは、例えば剛性部材によって構成されてもよい。この場合、第一平板パーツ２０Ｂと第二平板パーツ３０Ｂとの間、また、第二折り線ＢＶＬ２の長手方向に隣り合う二つの分割平板パーツ３５Ｂ，３６Ｂの間には、第一実施形態と同様の隙間４０Ａ（図１〜３参照）が形成されればよい。
【００９５】
展開状態とされた上記二つの実施形態の折り畳み構造物１０Ａ，１０Ｂにおいて、複数の第一平板パーツ２０Ａ，２０Ｂは、平行辺２１Ａ，２１Ｂに平行する断面（軸線Ｌ１に直交する断面）で必ずしも正多角形とならなくてもよく、全ての頂点が同一円周上に等間隔に並ぶ形状となっていればよい。
【００９６】
また、上記二つの実施形態の折り畳み構造物１０Ａ，１０Ｂにおいて、周方向に隣り合う各パーツの境界線（例えば図４の傾斜辺３２Ａや図１０の傾斜辺３２Ｂ）は、軸線Ｌ１，Ｌ２に関して必ずしも多角形でなくてもよく、例えば曲線や線分でできた凸形状でもよい。ただし、複数の境界線が軸線Ｌ１，Ｌ２上の点（図４の頂点ＴＰ１，ＴＰ２）において集まる角度は360°以下とする。
このような構成では、展開状態とされた折り畳み構造物１０Ａ，１０Ｂが、その軸方向から衝撃を受けても変形することを好適に抑制又は防止できる。
【００９７】
また、第一実施形態の折り畳み構造物１０Ａにおいて、第一平板パーツ２０Ａや第二平板パーツ３０Ａのうち、内部空間ＡＶ１側に向く内面（他面）には、例えば図１７に示すように、緩衝部５１Ａが設けられてもよい。緩衝部５１Ａは、例えばゴム等の緩衝材を含んでもよい。また、緩衝部５１Ａは、例えば図１７に示すように、展開状態における折り畳み構造物１０Ａの径方向に弾性的に伸縮可能なばね部材５４Ａを含んでもよい。
【００９８】
ばね部材５４Ａは、例えばコイルスプリングなど任意であってよいし、例えば特開２０１５−０８１６５５号公報に記載の非線形ばね部をなす筒状折り畳み構造物や、特許第４２５３１４５公報に記載の筒状折り畳み構造物や、「伊藤仁一（Jin-ichi Itoh）、奈良知惠（Chie Nara）、“コンティニュアス・フラッテニング・オブ・プラトニック・ポリへドラ（Continuous Flattening of Platonic Polyhedra）”、CGGA 2010、LNCS 7033、pp.108-121、2011年」に記載の折り畳み構造物であってもよい。また、ばね部材５４Ａとして特開２０１５−０８１６５５号公報に記載の筒状折り畳み構造物を採用する場合には、例えば反転らせん構造であるとよい。ばね部材５４Ａをなす折り畳み構造物は、少なくとも折り曲げ加工が可能な可撓性を有する材料によって構成されればよく、例えば紙やシート状のプラスチックなどであってよい。ばね部材５４Ａが折り畳み構造物である場合には、ばね部材５４Ａを小さく折り畳むことができる。
【００９９】
上記した緩衝部５１Ａは、例えば第一平板パーツ２０Ａや第二平板パーツ３０Ａの内面に対して面ファスナー等により着脱可能に固定されてもよい。また、緩衝部５１Ａは、例えば、第一平板パーツ２０Ａや第二平板パーツ３０Ａの折り畳みを阻害しないように、例えば第一平板要素２３Ａや第二平板要素３４Ａに対して着脱不能に固定されてもよい。
また、緩衝部５１Ａは、例えば周方向に隣り合う二つの第一平板パーツ２０Ａ，２０Ａを跨ぐように設けられてもよいが、図１７のように一つの第一平板パーツ２０Ａの内面のみに設けてもよい。この場合、緩衝部５１Ａを安定して第一平板パーツ２０Ａに固定できる。図１７に例示する構成では、緩衝部５１Ａが設けられる一つの第一平板パーツ２０Ａの厚さ方向、及び、緩衝部５１Ａの伸縮方向が、折り畳み構造物１０Ａが開口する方向（図１７において下方向）に一致している。
【０１００】
また、緩衝部５１Ａが第一平板パーツ２０Ａや第二平板パーツ３０Ａに対して着脱可能である場合、緩衝部５１Ａは、例えば紐等によって第一平板パーツ２０Ａや第二平板パーツ３０Ａに対して近接離間するように連結されてもよい。具体的には、紐の一端を緩衝部５１Ａに固定し、紐の他端側を第一平板パーツ２０Ａや第二平板パーツ３０Ａに挿通させることで、緩衝部５１Ａが第一平板パーツ２０Ａや第二平板パーツ３０Ａに連結されてもよい。
【０１０１】
第一平板パーツ２０Ａや第二平板パーツ３０Ａの内面に緩衝部５１Ａが設けられる場合には、内部空間ＡＶ１の外側から第一平板パーツ２０Ａや第二平板パーツ３０Ａの外面（一面）に衝撃荷重が作用しても、緩衝部５１Ａが弾性的に変形することで、内部空間ＡＶ１に収容された頭部などの収容物に衝撃荷重が作用することを抑制または防止できる。すなわち、内部空間ＡＶ１に収容された収容物の保護を図ることができる。
【０１０２】
また、第一平板パーツ２０Ａや第二平板パーツ３０Ａの内面から突出する緩衝部５１Ａの先端部には、例えば図１７，１８に示すように、圧力分散部５２Ａが設けられてもよい。第一平板パーツ２０Ａや第二平板パーツ３０Ａの厚さ方向から見て、圧力分散部５２Ａの平面視した面積は、緩衝部５１Ａの平面視した面積よりも大きい（特に図１８参照）。
圧力分散部５２Ａは、少なくともその厚さ方向から外力が作用しても変形しない構造であるとよい。圧力分散部５２Ａの具体的な構造は任意であってよいが、図１７，１８に例示する圧力分散部５２Ａは、その厚さ方向に延びる平面視六角形の筒部５３Ａを隙間なく並べたハニカム構造体となっている。
【０１０３】
上記した圧力分散部５２Ａは、例えば緩衝部５１Ａに対して面ファスナー等により着脱可能に固定されてもよいし、例えば着脱不能に固定されてもよい。また、緩衝部５１Ａが複数設けられる場合、圧力分散部５２Ａは、複数の緩衝部５１Ａに対して個別に設けられてもよいし、複数の緩衝部５１Ａに対して一つだけ設けられてもよい。
圧力分散部５２Ａが第一平板パーツ２０Ａや第二平板パーツ３０Ａに対して着脱可能である場合、圧力分散部５２Ａは、例えば紐等によって緩衝部５１Ａに対して近接離間するように連結されてもよい。
【０１０４】
緩衝部５１Ａの先端部に圧力分散部５２Ａが設けられる場合には、内部空間ＡＶ１の外側から第一平板パーツ２０Ａや第二平板パーツ３０Ａの外面に作用する衝撃荷重の一部が緩衝部５１Ａ及び圧力分散部５２Ａを介して内部空間ＡＶ１に収容された頭部などの収容物に伝わっても、収容物に作用する圧力を軽減することができる。すなわち、内部空間ＡＶ１に収容された収容物の保護をさらに好適に図ることができる。
【０１０５】
上記した緩衝部５１Ａや圧力分散部５２Ａは、例えば第二実施形態の折り畳み構造物１０Ｂに適用されてもよい。
【符号の説明】
【０１０６】
１０Ａ，１０Ｂ  折り畳み構造物
２０Ａ，２０Ｂ  第一平板パーツ
２１Ａ，２１Ｂ  平行辺
２２Ａ，２２Ｂ  延在辺
２３Ａ，２３Ｂ  第一平板要素
３０Ａ，３０Ｂ  第二平板パーツ
３２Ａ，３２Ｂ  傾斜辺
３３Ａ  頂部辺
３４Ａ，３４Ｂ  第二平板要素
３５Ｂ  第一分割平板パーツ
３６Ｂ  第二分割平板パーツ
５１Ａ  緩衝部
５２Ａ  圧力分散部
ＡＶＬ１，ＢＶＬ１  第一折り線
ＡＶＬ２，ＢＶＬ２  第二折り線
【図１】
0006628308.tif 000002
【図２】
0006628308.tif 000003
【図３】
0006628308.tif 000004
【図４】
0006628308.tif 000005
【図５】
0006628308.tif 000006
【図６】
0006628308.tif 000007
【図７】
0006628308.tif 000008
【図８】
0006628308.tif 000009
【図９】
0006628308.tif 000010
【図１０】
0006628308.tif 000011
【図１１】
0006628308.tif 000012
【図１２】
0006628308.tif 000013
【図１３】
0006628308.tif 000014
【図１４】
0006628308.tif 000015
【図１５】
0006628308.tif 000016
【図１６】
0006628308.tif 000017
【図１７】
0006628308.tif 000018
【図１８】
0006628308.tif 000019